(57)【要約】【課題】送風機に対応する断熱箱体の壁厚を確保しつつ、送風機で強制循環される風路の風路抵抗を低減することができ、省エネに優れた冷蔵庫を提供すること。【解決手段】冷蔵庫は、冷凍室５３と冷蔵室５２とを隣接して形成した断熱箱体５１を有し、冷凍室５３の背部に設けられた冷却器室５７内に冷却器５８及び送風機６４を設置し、冷却器５８で冷却された冷気を送風機６４のファン６４ｆにより冷気供給通路７２を通して冷蔵室５２の背面に設けられた冷蔵室冷気通路７４に冷気を供給するようにした冷気強制循環方式のものであって、ファン６４ｆを背面側に、このファン６４ｆを駆動する駆動部６４ｇを庫内側に位置して設置している。【選択図】図３
2007071496.tif 000002
【特許請求の範囲】
【請求項１】
冷凍室と冷蔵室とを隣接して形成した断熱箱体を有し、
前記冷凍室の背部に設けられた冷却器室内に冷却器及び送風機を設置し、
前記冷却器で冷却された冷気を前記送風機のファンにより冷気供給通路を通して前記冷蔵室の背面に設けられた冷蔵室冷気通路に冷気を供給するようにした冷気強制循環方式の冷蔵庫であって、
前記ファンを背面側に、このファンを駆動する駆動部を庫内側に位置して設置した
ことを特徴とする冷蔵庫。
【請求項２】
請求項１に記載の冷蔵庫において、前記ファンの出口と前記冷蔵室冷気通路の入り口とを直線状の前記冷気供給通路で結び、この冷気供給通路にダンパー装置を設けたことを特徴とする冷蔵庫。
【請求項３】
請求項１に記載の冷蔵庫において、前記冷気供給通路の通風量を制御する前記ダンパー装置を前記冷凍室の背面部に設置したことを特徴とする冷蔵庫。
【請求項４】
上から冷蔵室、冷凍室、野菜室をこの順に形成した断熱箱体を有し、
前記冷凍室の背部に設けられた仕切部材により冷却器室を形成し、
前記冷却器室内に冷却器及び送風機を設置し、
前記冷却器で冷却された冷気を前記送風機のファンにより冷気供給通路及びダンパー装置を通して前記冷蔵室の背面に設けられた冷蔵室冷気通路に冷気を供給するようにした冷気強制循環方式の冷蔵庫であって、
前記ファンを背面側に、このファンを駆動する駆動部を庫内側に位置するように設置し、
前記冷凍室の背部に設けられた仕切部材に前記ダンパー装置及び前記送風機を取り付けた
ことを特徴とする冷蔵庫。
【請求項５】
請求項４に記載の冷蔵庫において、前記ダンパー装置を通して供給される冷気を前記冷気供給通路の前記冷凍室の背面部に位置する部分から分岐して前記野菜室に供給する野菜室冷気通路としたことを特徴とする冷蔵庫。
【請求項６】
請求項１または４に記載の冷蔵庫において、前記ファンの吐出側に略円錐状の整流カバーを設け、この整流カバーにて前記駆動部の一部を覆ったことを特徴とする冷蔵庫。
【発明の詳細な説明】
【技術分野】
【０００１】
本発明は、冷気強制循環方式の冷蔵庫に関する。
【背景技術】
【０００２】
冷気強制循環方式の従来の冷蔵庫としては、特開平１０−２０５９６７号公報（特許文献１）に記載されたものが知られている。以下、従来例における要部断面図である図５を参照しながら従来の冷蔵庫について説明する。
【０００３】
断熱箱体２７は、外箱２８と、内箱２９と、これら両箱２８、２９の間に充填された断熱材３０とからなり、第１の区画壁３１と第２の区画壁３２とによって内部を上から冷蔵室３３、冷凍室３４、野菜室３５に区画形成している。冷蔵室用冷気吐出風路３６は第１の区画壁３１に設けられている。温度制御装置３７は、冷蔵室用冷気吐出風路３６に開口した風路３８と、この風路３８内に設けたフラップ３９の開閉により冷気量を制御するダンパー装置４０とを備えている。断熱カバー４１、４２は、ダンパー装置４０を収納し、風路３８を構成している。化粧カバー４３は断熱カバー４２に設けられている。冷蔵室３３への冷気吐出ダクト２２は、冷蔵室用冷気吐出風路３６と、フラップ３９を介して開口した風路３８とで、ほぼストレートに連通した風路を構成している。
【０００４】
冷却器１０で冷却された冷気は、送風機１１で第１の区画壁３１に設けた冷蔵室用冷気吐出風路３６から、温度制御装置３７内に備えたフラップ３９を介した風路３８を通り、冷蔵室３３への吐出口２３から冷蔵室内に送られ、室内を冷却した後、冷蔵室戻り風路（図示せず）を通して冷却器１０に戻る。また、冷却器１０で冷却された冷気は、冷凍室吐出口１３から冷凍室３４内に送られ、冷凍室３４内を冷却した後、冷凍室吸込口１４から冷却器１０に戻る。また、冷却器１０で冷却された冷気は、冷気吐出ダクト２２の途中で分岐し、野菜室吐出風路（図示せず）を通じて、野菜室３５に送られ、野菜室３５内を冷却した後、野菜室戻り風路（図示せず）を通して冷却器１０に戻る。
【０００５】
送風機１１は、庫内側に配置したファンと、背面側に配置した駆動部とからなっている。そして、送風機１１のファンより吐出される冷気の通風路はファンの出口Ｚｆ２から冷気吐出風路３６の入り口Ｚｒ２へ約直角に曲げられて形成されている。換言すれば、ファンの出口Ｚｆ２と冷気吐出風路３６の入り口Ｚｒ２とが図５に示すようにクランク状の通路で連通されている。
【０００６】
冷気量を制御するダンパー装置４０が冷蔵室３３の背部にあり、ダンパー装置４０を通過した冷気を冷蔵室用冷気吐出ダクト２２と野菜室用冷気ダクトとに分岐する分岐部が冷蔵室３３の背部にある。
【０００７】
【特許文献１】特開平１０−２０５９６７号公報
【発明の開示】
【発明が解決しようとする課題】
【０００８】
しかしながら、従来の冷蔵庫では、送風機１１のファンを庫内側にその駆動する駆動部を背面側にそれぞれ配置しているので、ファンが冷気吐出風路３６より大きく前方に位置することとなり、冷気がファンの出口Ｚｆ２から冷気吐出風路３６の入り口Ｚｒ２へ大きく曲げられる。これによって、風路損失が増大して省エネに不利となるという課題があった。また、ファンをできるだけ後方に位置させて冷蔵室用冷気吐出風路３６への曲がりを小さくしようとすると、送風機１１の駆動部も後方に位置させることとなり、送風機１１の駆動部に対応する冷却器室背面壁を薄くする必要がある。冷却器室背面壁を薄くすることにより、この部分からの熱漏洩量が増加して省エネに不利となるばかりでなく、この部分の外箱外表面に結露の恐れが生じる、と言う課題が生ずる。
【０００９】
なお、従来の冷蔵庫では、送風機１１より吐出される冷気の通風路がファンの出口Ｚｆ２から冷気吐出風路３６の入り口Ｚｒ２へ約直角に曲げられて形成されているため、ファンの出口Ｚｆ２と冷気吐出風路３６の入り口Ｚｒ２との間の通風路における風路抵抗が特に大きくなると言う課題があった。
【００１０】
本発明の第１の目的は、送風機に対応する断熱箱体の壁厚を確保しつつ、送風機で強制循環される風路の風路抵抗を低減することができ、省エネに優れた冷蔵庫を提供することにある。
【００１１】
また、従来の冷蔵庫では、冷気量を制御するダンパー装置４０が冷蔵室３３の背部にあるため、ダンパー装置４０を収納し且つ断熱カバー４１，４２及び化粧カバー４３等よりなる温度制御装置３７が冷蔵室３３に突出し、冷蔵室３３の定格内容積が突出した寸法分だけ減少してしまうという課題があった。
【００１２】
さらには、ダンパー装置４０を通過した冷気を冷蔵室用冷気吐出ダクト２２と野菜室用冷気ダクトとに分岐する分岐部が冷蔵室３３の背部にあるため、野菜室冷却不足等が発生した場合は、冷凍室３４の背部に設けた冷気供給通路と共に、冷蔵室３３の背部に設けたダンパー装置４０及び分岐部を調査する必要がある。この調査は、冷凍室３４の背部の仕切部材と、冷蔵室３３の背部のダンパー装置４０及び冷気吐出ダクト２２とを取り外して行うものであるため、その取り外し作業や、調査・修理処置後の組み込み作業に非常に時間を要すると言う課題があった。
【００１３】
本発明の第２の目的は、第１の目的加えて、冷蔵室の内容積効率が良く、冷気を供給する風路及びダンパー装置の調査が容易な冷蔵庫を提供することにある。
【課題を解決するための手段】
【００１４】
前述の第１の目的を達成するための本発明の第１の態様は、冷凍室と冷蔵室とを隣接して形成した断熱箱体を有し、前記冷凍室の背部に設けられた冷却器室内に冷却器及び送風機を設置し、前記冷却器で冷却された冷気を前記送風機のファンにより冷気供給通路を通して前記冷蔵室の背面に設けられた冷蔵室冷気通路に冷気を供給するようにした冷気強制循環方式の冷蔵庫であって、前記ファンを背面側に、このファンを駆動する駆動部を庫内側に位置して設置したものである。
【００１５】
係る本発明の第１の態様におけるより好ましい具体的構成例は次の通りである。
（１）前記ファンの出口と前記冷蔵室冷気通路の入り口とを直線状の前記冷気供給通路で結び、この冷気供給通路にダンパー装置を設けたこと。
（２）前記冷気供給通路の通風量を制御する前記ダンパー装置を前記冷凍室の背面部に設置したこと。
【００１６】
また、前述の第２の目的を達成するための本発明の第２の態様は、上から冷蔵室、冷凍室、野菜室をこの順に形成した断熱箱体を有し、前記冷凍室の背部に設けられた仕切部材により冷却器室を形成し、前記冷却器室内に冷却器及び送風機を設置し、前記冷却器で冷却された冷気を前記送風機のファンにより冷気供給通路及びダンパー装置を通して前記冷蔵室の背面に設けられた冷蔵室冷気通路に冷気を供給するようにした冷気強制循環方式の冷蔵庫であって、前記ファンを背面側に、このファンを駆動する駆動部を庫内側に位置するように設置し、前記冷凍室の背部に設けられた仕切部材に前記ダンパー装置及び前記送風機を取り付けたものである。
【００１７】
係る本発明の第２の態様におけるより好ましい具体的構成例は次の通りである。
（１）前記ダンパー装置を通して供給される冷気を前記冷気供給通路の前記冷凍室の背面部に位置する部分から分岐して前記野菜室に供給する野菜室冷気通路としたこと。
【００１８】
係る本発明の第１または第２の態様におけるより好ましい具体的構成例は次の通りである。
（１）前記ファンの吐出側に略円錐状の整流カバーを設け、この整流カバーにて前記駆動部の一部を覆ったこと。
【発明の効果】
【００１９】
本発明によれば、送風機に対応する断熱箱体の壁厚を確保しつつ、送風機で強制循環される風路の風路抵抗を低減することができ、省エネに優れた冷蔵庫を提供することができる。
【発明を実施するための最良の形態】
【００２０】
以下、本発明の複数の実施形態について図を用いて説明する。各実施形態の図における同一符号は同一物または相当物を示す。
（第１実施形態）
本発明の第１実施形態の冷蔵庫を図１から図３を用いて説明する。
【００２１】
まず、図１及び図２を参照しながら、冷蔵庫の全体に関して説明する。図１は本発明の第１実施形態における冷蔵庫の扉を除いて内部を示した正面図、図２は図１のＢ−Ｂ断面図である。
【００２２】
冷蔵庫の断熱箱体５１は、外箱５１ａと、内箱５１ｂと、外箱５１ａと内箱５１ｂとの間に充填された断熱部材５１ｃとにより構成されている。断熱箱体５１内は、断熱性能を有する横仕切５５、５６により複数の室に区画形成されている。その中段の室は、その背部に、冷却器５８を有する冷却器室５７が形成された冷凍室５３として構成されており、冷凍室５３の上方には冷蔵室５２が設置され、冷凍室５３の下方には野菜室５４が設置されている。従って、複数の室は、上から冷蔵室５２、冷凍室５３、野菜室５４の順に配置されており、冷凍室５３は冷蔵室５２及び野菜室５４と隣接して配置されている。
【００２３】
そして、図２に示すように、冷蔵室５２や野菜室５４は、冷却器室５７にて生成された冷気を送風機６４によって強制送風されることにより、それぞれの室内が所定の温度に冷却される。
【００２４】
仕切部材６１は、冷却器室５７と冷凍室５３とを区画するものであり、冷凍室５３の背部に取り付け、取り外し可能に設置されている。この仕切部材６１内には、送風機６４と、ダンパー装置６５と、冷蔵室冷却用送風ダクト７２とが設けられている。この冷蔵室冷却用送風ダクト７２は、ダンパー装置６５で制御された冷気を、横仕切５５に設けられた冷蔵室冷気通路入り口７３を介して、冷蔵室背部に設けた冷蔵室冷気通路７４に送る冷気供給通路を構成するものである。
【００２５】
また、ダンパー装置６５で制御された冷気を野菜室５４に送る野菜室冷却用通路を構成する野菜室冷却用送風ダクト８２は、図１に示すように、冷凍室５３の背部において冷蔵室冷却用送風ダクト７２から分岐され、所定の冷気量が分流されて供給される。
【００２６】
また、仕切部材６１内には、送風機６４やダンパー装置６５の配線６４ａや６５ａの接続端子及び、送風機６４やダンパー装置６５の制御を行う中継基板（図示せず）等を収納する配線ボックス６６が設けてある。この配線ボックス６６が設けられる場所は、送風機１１の横の実質的にデッドスペースとなっている部分である。
【００２７】
ここで、上記構成による、冷蔵室５２と野菜室５４との冷却動作について、図１及び図２を参照しながら説明する。
【００２８】
先ず、冷却器室５７にて生成された冷気は、送風機６４によって、その一部が仕切部材６１内に設けたダンパー装置６５の通風路６５ｂに送られる。ダンパー装置６５は、図示しない庫内温度センサーの検知値によりその通風路６５ｂの開口面積を制御しながら、冷蔵室冷却用送風ダクト７２と野菜室冷却用送風ダクト８２とに冷気を送る。
【００２９】
冷蔵室冷却用送風ダクト７２に送られた冷気は、横仕切５５の背部に設けた冷蔵室冷気通路入り口７３と冷蔵室５２の背部に設けた冷蔵室冷気通路７４とを経由して、冷蔵室パネル５９に設けた冷蔵室冷却口７４ａから冷蔵室５２内に吐出されて、冷蔵室５２内を所定の温度に冷却する。
【００３０】
冷蔵室５２内を冷却した冷気は、横仕切５５に設けた冷蔵帰還路７５を経由して、仕切部材６１に設けられた冷蔵室帰還路ダクト７６に送られ、冷蔵戻り口７６ｂを経て冷却器室５７に戻る。
【００３１】
冷蔵室冷却用送風ダクト７２に送られた冷気は、冷気分流部８１にてその一部が分流され、野菜室冷却用送風ダクト８２を経由して、横仕切５６に設けた野菜室冷却口８３から野菜室５４内に吐出されて、野菜室５４内を所定の温度に冷却する。
【００３２】
野菜室５４内を冷却した冷気は、横仕切５６に設けた吸い込み口８４、野菜室帰還路ダクト８５、及び野菜戻り口８６を経て、冷却器室５７に戻る。
【００３３】
次に、上記構成による、冷凍室５３の冷却動作について、図１及び図２を参照しながら説明する。
【００３４】
冷却器室５７にて生成された冷気は、送風機６４によって、その一部が、仕切部材６１内に設けた冷凍室冷却用送風ダクト９２を通って、冷凍室冷却口９２ａから冷凍室５３内に送られる。冷凍室５３を所定の温度に冷却した冷気は、仕切部材６１下部に設けた冷凍帰還路９３から冷却器室５７に戻る。
【００３５】
次に、図３を参照しながら、冷凍室５３の背部の構成に関して説明する。図３は図２の要部の拡大断面図である。
【００３６】
仕切部材６１は、断熱材６１ｂと、表面板６１ａと、ダンパー装置６５と、送風機６４と、マウスリングプレート６２と、支持具６４ｂ及び係止具６４ｃとを、予め互いに組み込んで、且つ、所定の外形寸法となるように構成してある。断熱材６１ｂは、冷却器室５７と冷凍室５３とを区画し、必要な断熱性能を有している。表面板６１ａは、断熱材６１ｂの庫内側に形成されている。ダンパー装置６５は、送風機６４の側方に位置して、断熱材６１ｂに嵌合若しくは接着剤や図示しない係止具にて固定されている。マウスリングプレート６２は、冷却器室５７の庫内側を形成し、送風機６４のマウスリング部６２ａを一体或いは別体にて有している。支持具６４ｂ及び係止具６４ｃは、マウスリングプレート６２に送風機６４を固定するものである。
【００３７】
また、断熱材６１ｂ内には、冷蔵室冷却用送風ダクト７２と、野菜室冷却用送風ダクト８２及び冷蔵室帰還路ダクト７６とが設けられている。従って、冷蔵室５２や野菜室５４の冷却不足等が発生した場合には、冷凍室５３の背部に取り付け、取り外し可能に設置された仕切部材６１を取り外すだけで、仕切部材６１に設けられた、冷却機能に大きな影響をおよぼす送風機６４、ダンパー装置６５、冷蔵室冷却用送風ダクト７２、野菜室冷却用送風ダクト８２、及び冷蔵室帰還路ダクト７６等を取り出して、点検、修理や交換が容易にできる。また、仕切部材６１を取り外すことにより、冷却機能に大きな影響をおよぼす冷却器５８や冷却器室５７が露出するので、冷却器５８や冷却器室５７の点検、修理や交換が容易にできる。
【００３８】
なお、表面板６１ａや、断熱材６１ｂ、ダンパー装置６５、冷蔵室冷却用送風ダクト７２、野菜室冷却用送風ダクト８２、冷蔵室帰還路ダクト７６、送風機６４、マウスリングプレート６２、支持具６４ｂ、及び係止具６４ｃ等の数多い部品を、それぞれに冷凍室５３背部に組み込むと、その組み込み作業が非常に煩雑となると共に、数多い部品同士を組み合わせるための係止具やシール部材等が必要となる恐れが生じ、組み込み作業効率が落ち、冷蔵庫の生産性が低下する。本実施形態では、それらの課題を改善するために、上述した数多い部品同士を予め組み合わせて、所定の外形寸法に抑えられた仕切部材６１として構成してある。
【００３９】
そして、送風機６４は、図３に示すように、ファン６４ｆを背面側、つまり、冷却器室背面５７ａ側とし、駆動部６４ｇを庫内側にして設置してある。かかる構成によって、送風機６４に対応する部分の断熱厚さｔ６寸法を確保しつつ、冷却器室５７にて生成した冷気を吸い込む側を冷気の吸入に必要な所定寸法ｔ５を確保できるようになっている。換言すれば、従来例の送風機１１の背部の断熱壁のような、外箱に結露の恐れがある断熱厚さとする必要がなく、しかも所定の冷気の吸引量を確保できるように、ファン６４ｆの位置と駆動部６４ｇの位置を従来例と反転設置して、吸入寸法ｔ５と該部の断熱壁厚さ寸法ｔ６を確保し易いように構成してある。また、ファンの吸込み側に、吸引を阻害する恐れのある従来例のような駆動部が介在しないので、ファンの吸引量を確保し易い構成となる。
【００４０】
そして、ファン６４ｆの設置位置を、奥行き方向で、冷却器室背面５７ａ近くに設けられた冷蔵室冷気通路７４に近づけることにより、ファンの出口Ｚｆと冷蔵室冷気通路入り口Ｚｒとを連通する風路Ｒ１が、冷蔵室冷気通路７４に曲がって入る角度θ１を小さくすることにより、該部を流れる冷気の通風抵抗を小さくするように構成してある。換言すれば、ファン６４ｆと冷蔵室冷気通路７４の風路線の延長仮想線Ｒ２との寸法Ｌ１を小さく設定することにより、角度θ１を小さくして、該部を流れる冷気の通風抵抗を小さくするように構成してある。
【００４１】
なお、角度θ１は、冷蔵室５２の背面壁の厚さｔｒと冷凍室の背面壁の厚さｔｆとの関係、及び、ファン６４ｆと冷蔵室冷気通路７４との高さ方向における距離Ｈ１の大きさにより変化するが、上記Ｌ１寸法を小さく設定することにより、角度θ１を小さくできる。
【００４２】
また、ファン６４ｆの出口Ｚｆと冷蔵室冷気通路入り口Ｚｒとを連絡する冷気供給通路を直線状とすることにより、該部の風路抵抗を低減する構成にしてある。この直線状とした通風路に通風路６５ｂを有するダンパー装置６５を設けることによって、冷気の流れがスムーズで且つ冷気によどみ等が生じない部分で、ダンパー装置６５の風量制御ができる構成にしてある。
【００４３】
また、ファン６４ｆの出口Ｚｆとダンパー装置６５の通風路６５ｂとの距離Ｌ２寸法、及びダンパー装置６５の通風路６５ｂと冷蔵室冷気通路入り口Ｚｒとの距離Ｌ３寸法を小さくして、該部の熱ロスを出来るだけ小さくなるように構成してある。
【００４４】
本実施形態の構成及び効果を纏めると次の通りである。
【００４５】
冷凍室５３の背部に設けられた冷却器室５７内に、冷却器５８及び送風機６４を設置した冷蔵庫において、送風機６４のファン６４ｆを背面側とし、送風機６４の駆動部６４ｇを庫内側にすると共に、ファン６４ｆの位置を、奥行き方向で、冷却器室５７の背面近くに設けられた冷蔵室冷気通路７４に近づけたので、冷却器室５７の背面部の断熱壁の厚さを確保できると共に、送風機６４で強制循環される風路の風路抵抗が低減できる。これによって、省エネ上有利な、且つ、冷気によどみ等が生じない信頼性の高い風路仕様を有する冷蔵庫を提供できる。
【００４６】
また、ファン６４ｆの出口にダンパー装置６５を設け、ダンパー装置６５を冷却器室５７と冷凍室５３とを区画する仕切部材６１に設けると共に、ダンパー装置６５の通風路を冷蔵室冷気通路７４に奥行き方向で近づけたので、ダンパー装置６５の通風路６５ｂが冷蔵室冷気通路７４に近くなると共に通風路６５ｂが短くなり、通風路６５ｂからの熱ロスの少ない冷蔵庫を提供できる。また、ダンパー装置６５が冷蔵室５２の背部に無いので、従来例のような冷蔵室５２の背部の出っ張りがなくなり、冷蔵室内容積効率の良い冷蔵庫を提供できる。また、故障修理時に、仕切部材６１を取り外すだけで、仕切部材６１に設置された、冷却機能に大きな影響をおよぼすダンパー装置６５を容易に取り出せるので、故障診断や修理・交換が容易にできる冷蔵庫が提供できる。
【００４７】
また、ファン６４ｆの出口Ｚｆと、冷蔵室冷気通路入り口Ｚｒとを直線状とし、その間にダンパー装置６５を設けたので、ファン６４ｆから冷蔵室冷気通路間の風路抵抗が低減でき、冷気の流れがスムーズで、冷気によどみ等が生じない信頼性の高い風路仕様を提供できると共に、ダンパー装置６５の風量制御機能が阻害されることのない冷蔵庫を提供できる。
（第２実施形態）
次に、本発明の第２実施形態について図４を用いて説明する。図４は本発明の第２実施形態の冷蔵庫要部断面図である。この第２実施形態は、次に述べる点で第１実施形態と相違するものであり、その他の点については第１実施形態と基本的には同一であるので、重複する説明を省略する。
【００４８】
略円錐状の整流カバー６７は、送風機６４のファン６４ｆから流れる吐出冷気がよどまないように、ファン６４ｆの吐出側に設けられている。かかる整流カバー６７を設けることにより、ファン６４ｆの中心部付近に発生する空気の巻き込みを防止して、ファン６４ｆから流れ出る吐出冷気をスムーズに吐出させると共に、空気の巻き込みによる騒音発生を少なくできる。なお、整流カバー６７の円錐高さ寸法ｔ７と外形寸法ｄ７は、ファン６４ｆの大きさや風量により所定の寸法に設定される。
【００４９】
また、ファン６４ｆから流れる吐出冷気が駆動部６４ｇに直接当たって空気の乱れ等を起こさないように、円錐状の整流カバー６７で送風機６４の駆動部６４ｇを覆っている。そして、略円錐状の整流カバー６７内に、送風機６４の駆動部６４ｇの厚さ寸法ｔ８の一部を埋設することにより、その埋設寸法ｔ９分のスペースを、冷蔵庫の内容積等に有効利用できるように構成してある。
【００５０】
ケース兼支持具６８は、送風機６４の駆動部６４ｇを支持し、且つ、整流カバー６７で覆われた以外の駆動部６４ｇを覆うように形成したものである。ケース兼支持具６８と係止具６４ｃとにより、送風機６４はマウスリングプレート６２のマウスリング部６２ａの所定位置に固定されている。
【００５１】
この第２実施形態では、送風機６４のファン６４ｆを背面側とし、送風機の駆動部６４ｇを庫内側にすると共に、ファン６４ｆの吐出側に略円錐状の整流カバー６７を設け、整流カバー６７にて送風機６４の駆動部６４ｇの一部を覆ったので、冷気の流れがスムーズになり、冷気によどみ等が生じない信頼性の高い風路仕様を有すると共に、整流カバー６７内に送風機６４の駆動部６４ｇの一部が埋設され、内容積効率の良い冷蔵庫を提供できる。
【図面の簡単な説明】
【００５２】
【図１】本発明の第１実施形態における冷蔵庫の扉を除いて内部を示した正面図である。
【図２】図１のＢ−Ｂ断面図である。
【図３】図２の要部の拡大断面図である。
【図４】本発明の第２実施形態の冷蔵庫要部断面図である。
【図５】従来例の冷蔵庫の縦断面図である。
【符号の説明】
【００５３】
５１…断熱箱体、５１ａ…外箱、５１ｂ…内箱、５１ｃ…断熱部材、５２…冷蔵室、５３…冷凍室、５４…野菜室、５４ａ…野菜ケース、５５、５６…横仕切、５７…冷却器室、５７ａ…冷却器室背面、５８…冷却器、５９…冷蔵室パネル、６１…仕切部材、６１ａ…表面板、６１ｂ…断熱材、６２…マウスリングプレート、６２ａ…マウスリング部、６４…送風機、６４ａ、６５ａ…配線、６４ｂ…支持具、６４ｃ…係止具、６４ｆ…送風機のファン、６４ｇ…送風機の駆動部、６５…ダンパー装置、６５ｂ…ダンパー装置の通風路、６６…配線ボックス、６７…整流カバー、６８…ケース兼支持具、７２…冷蔵室冷却用送風ダクト（冷気供給通路）、７３…冷蔵室冷気通路入り口、７４…冷蔵室冷気通路、７４ａ…冷蔵室冷却口、７５…冷蔵帰還路、７６…冷蔵室帰還路ダクト、７６ｂ…冷蔵戻り口、８１…冷気分流部、８２…野菜室冷却用送風ダクト（野菜室冷却用通路）、８３…野菜室冷却口、８４…吸い込み口、８５…野菜室帰還路ダクト、８６…野菜戻り口、９２…冷凍室冷却用送風ダクト、９２ａ…冷凍室冷却口、９３…冷凍帰還路。
【図１】
2007071496.tif 000003
【図２】
2007071496.tif 000004
【図３】
2007071496.tif 000005
【図４】
2007071496.tif 000006
【図５】
2007071496.tif 000007